(57)【要約】本開示の種々の実施形態は、１回分の医薬単位用量を分配するためのパッケージを提供する。このパッケージは、エンクロージャ、単位用量をこのエンクロージャから回収するための、このエンクロージャのアクセス開口部、および医薬ホルダから取り出された単位用量が、このアクセス開口部を通しての後の回収のために、このエンクロージャ内に落ちて捕捉されるように、この単位用量を保持するための少なくとも１つの医薬ホルダを備え得る。
2011522748.tif 000002
【特許請求の範囲】
【請求項１】
エンクロージャを規定する壁構造体；
該エンクロージャから単位用量を回収するための、該エンクロージャのアクセス開口部；および
該単位用量を保持するための少なくとも１つの医薬ホルダであって、該少なくとも１つの医薬ホルダは、該医薬ホルダから取り出された単位用量が、該アクセス開口部を通しての後の回収のために、該エンクロージャ内に落ちて捕捉されるように、該壁構造体に設置されている、少なくとも１つの医薬ホルダ、
を備える、１回分の医薬単位用量を分配するためのパッケージ。
【請求項２】
各医薬ホルダが前記単位用量を保持するためのブリスターを備える、請求項１に記載のパッケージ。
【請求項３】
前記単位用量を各ブリスター内に保持するための、該ブリスターの内側表面に提供された破断可能な裏打ちをさらに備える、請求項２に記載のパッケージ。
【請求項４】
前記壁構造体に設置された複数のブリスターが存在する、請求項１に記載のパッケージ。
【請求項５】
前記少なくとも１つの医薬ホルダが前記壁構造体と一体的に形成されている、請求項１に記載のパッケージ。
【請求項６】
各医薬ホルダが前記単位用量を保持するためのブリスターを備え、該ブリスターが、前記壁構造体の変形可能な部分により形成されており、そして各ブリスターに関連して、該壁構造体の内側表面に提供された破断可能な裏打ちをさらに備え、該破断可能な裏打ちは、該単位用量を該ブリスター内に保持するためのものである、請求項５に記載のパッケージ。
【請求項７】
前記壁構造体が取り外し可能な閉鎖キャップを備える、請求項１に記載のパッケージ。
【請求項８】
前記壁構造体が少なくとも１つの入口開口部を備え、そして前記少なくとも１つの医薬ホルダが、該少なくとも１つの入口開口部に関連して該壁構造体に永続的に固定されている、請求項１に記載のパッケージ。
【請求項９】
前記少なくとも１つの医薬ホルダが、前記剤形を保持するためのブリスター、および該単位用量を該ブリスター内に保持するための、該ブリスターの内側表面に提供された破断可能な裏打ちを備え、該ブリスターおよび該破断可能な裏打ちが、該単位用量を該ブリスターから前記１つの入口開口部を通して前記エンクロージャ内へと通すために、前記壁構造体に永続的に固定されている、請求項８に記載のパッケージ。
【請求項１０】
複数のブリスターを備える挿入物をさらに備え、前記破断可能な裏打ちが該挿入物の内側表面に提供されており、該挿入物が、前記単位用量を該ブリスターから前記１つの入口開口部を通して前記エンクロージャ内へと通すために、前記壁構造体に永続的に固定されている、請求項９に記載のパッケージ。
【請求項１１】
各ブリスターが前記１つの入口開口部を通って延びている、請求項９に記載のパッケージ。
【請求項１２】
前記壁構造体が少なくとも１つの入口開口部を備え、そして前記少なくとも１つの医薬ホルダが該壁構造体に取り外し可能に固定されている、請求項１に記載のパッケージ。
【請求項１３】
前記壁構造体が少なくとも１つのガイドを備え、該ガイドは、各医薬ホルダが前記１つの入口開口部を覆う関係で配置されるように、該少なくとも１つの医薬ホルダを案内して設置するためのものである、請求項１２に記載のパッケージ。
【請求項１４】
前記少なくとも１つの医薬ホルダが、複数のブリスターを備える挿入物を備え、前記破断可能な裏打ちが、該挿入物の内側表面に提供され、該挿入物が、各単位用量を各ブリスターから１つの入口開口部を通して前記エンクロージャ内へと通すために、前記少なくとも１つのガイドによって前記壁構造体に取り外し可能に設置されている、請求項１３に記載のパッケージ。
【請求項１５】
前記挿入物がカード挿入物を備え、そして前記少なくとも１つのガイドが、前記壁構造体の外側表面上に、平行な間隔を空けたＬ字型の壁を備え、該ガイドは、該カード挿入物をスライドにより受容して該カード挿入物を前記壁エンクロージャに設置するためのものである、請求項１４に記載のパッケージ。
【請求項１６】
前記壁構造体と前記少なくとも１つの医薬ホルダとが同じ材料から作製されている、請求項１に記載のパッケージ。
【請求項１７】
前記少なくとも１つの壁構造体が、
少なくとも１つのラベル、および
前記単位用量の使用／投薬情報に関する指示書、
のうちの少なくとも１つを備える、請求項１に記載のパッケージ。
【請求項１８】
前記壁構造体が、
二枚貝パッケージであって、中心セクション、ならびに該中心セクションの両側に蝶番式に固定された第一の蝶番式横セクションおよび第二の蝶番式横セクションを備え、該第一の横セクションが、内部に少なくとも１つの医薬ホルダを備える、二枚貝パッケージ、ならびに
入口開口部を備えて該第二の横セクションに設置されている容器であって、その結果、該二枚貝パッケージが閉じる場合に、各医薬ホルダが１つの入口開口部を覆う関係で配置され、該容器がアクセス開口部を備える、容器、
を備える、請求項１に記載のパッケージ。
【請求項１９】
前記壁構造体がブランクから形成されている、請求項１に記載のパッケージ。
【請求項２０】
少なくとも１つの医薬ホルダが、人の指により押され得る変形可能な前壁、および該医薬ホルダ内に前記単位用量を保持するための変形可能な後壁を備え、該変形可能な後壁が、内向きに曲がったセクションを備え、該内向きに曲がったセクションは、該単位用量を該医薬ホルダ内にロックし、そして該単位用量を該変形可能な後壁を通して放出するために、該変形可能な前壁の変形の際に外向きに曲がる、請求項１に記載のパッケージ。
【請求項２１】
神経学的患者が１回分の医薬単位用量を落とす危険性を低下させる方法であって、請求項１に記載のパッケージを、神経学的疾患を患う患者に提供する工程を包含する、方法。
【請求項２２】
少なくとも１つの医薬ホルダおよび１回分の医薬単位用量を分配するためのパッケージを備える薬学的製品であって、該パッケージが、
エンクロージャを規定する壁構造体；
該エンクロージャから単位用量を回収するための、該エンクロージャのアクセス開口部；および
該単位用量を保持するための少なくとも１つの医薬ホルダであって、該少なくとも１つの医薬ホルダが、該医薬ホルダから取り出された単位用量が該アクセス開口部を通しての後の回収のために、該エンクロージャ内に落ちて捕捉されるように、該壁構造体に設置されている、少なくとも１つの医薬ホルダ、
を備える、薬学的製品。
【請求項２３】
前記少なくとも１つの医薬ホルダが少なくとも１つの薬学的剤形を収容する、請求項２２に記載の薬学的製品。
【請求項２４】
前記薬学的剤形が、錠剤、カプセル剤、カプレット、ゲルカプセルからなる群より選択される、請求項２３に記載の薬学的製品。
【請求項２５】
前記薬学的剤形が神経学的疾患を処置するためのものである、請求項２３に記載の薬学的製品。
【請求項２６】
請求項１に記載のパッケージ、および複数の薬学的剤形を収容する複数の医薬ホルダを備える、薬学的キット。
【請求項２７】
少なくとも閉じた底部を有するエンクロージャを形成するために一緒に接続された複数の壁パネル、および
該エンクロージャの該壁パネルのうちの少なくとも１つに組み込まれた、単位用量を保持するための少なくとも１つのブリスターであって、その結果、該壁パネルが一緒に接続されて該エンクロージャを形成する場合に、該ブリスターのうちの１つから取り出された単位用量が、後の回収のために、該エンクロージャ内に落ちて捕捉される、少なくとも１つのブリスター、
を備える、１回分の医薬単位用量を分配するためのパッケージを形成するためのブランク。
【請求項２８】
単位用量を各ブリスター内に保持するための、各ブリスターに対して前記壁パネルの内側表面に提供された破断可能な裏打ちをさらに備える、請求項２７に記載のブランク。
【請求項２９】
前記壁パネルのうちの少なくとも１つに組み込まれた複数のブリスターが存在する、請求項２７に記載のブランク。
【請求項３０】
前記壁パネルと前記少なくとも１つのブリスターとが同じ材料から作製されている、請求項２７に記載のブランク。
【請求項３１】
前記壁パネルと前記少なくとも１つのブリスターとがプラスチック材料から作製されている、請求項２７に記載のブランク。
【請求項３２】
前記複数の壁パネルが、折り線に沿って一列に一緒に接続された、前壁パネル、後壁パネル、および２つの横壁パネルを備える、請求項２７に記載のブランク。
【請求項３３】
前記複数の壁パネルが、折り線に沿って前記壁パネルのうちの１つの下端に接続された底フラップ、および該壁パネルのうちの１つの上端に接続された頂フラップをさらに備える、請求項３２に記載のブランク。
【請求項３４】
前記複数の壁パネルが、前記壁パネルのうちの少なくとも１つの下端に接続された少なくとも１つの底横フラップ、および該壁パネルのうちの少なくとも１つの上端に接続された少なくとも１つの頂横フラップをさらに備える、請求項３３に記載のブランク。
【請求項３５】
前記１回分の医薬単位用量が１つの医薬を含む、請求項１に記載のパッケージ。
【請求項３６】
前記１回分の医薬単位用量が１つより多くの医薬を含む、請求項１に記載のパッケージ。
【請求項３７】
前記１回分の医薬単位用量が２つの医薬を含む、請求項１に記載のパッケージ。
【請求項３８】
前記１回分の医薬単位用量が３つの医薬を含む、請求項１に記載のパッケージ。
【請求項３９】
前記１回分の医薬単位用量が少なくとも１つの錠剤、カプセル剤、カプレットまたはゲルカプセルを含む、請求項１に記載のパッケージ。
【発明の詳細な説明】
【技術分野】
【０００１】
（発明の分野）
本発明は、一般に、医薬単位用量を保持および分配するためのパッケージに関し、そしてより特定すると、１回分の医薬単位用量を分配するためのパッケージに関する。
【背景技術】
【０００２】
（発明の背景）
一般に、医薬単位（例えば、錠剤、カプセル剤、カプレット、フィルム、ゲルなど）は、包装ライン操作中に容器を満たすことを容易にする目的で、開口部を通して一度に複数の医薬単位の流れを受け入れて可能にするために充分に大きい開口部を有する、パッケージ（例えば、プラスチック瓶）に収容される。プラスチック瓶は、本質的に安価であり、そして包装ラインで処理することが簡単であり、プラスチック瓶を、経口薬物製品のための一般的に使用されるパッケージにしている。
【０００３】
しかし、このようなパッケージは、消費者の細かい運動能力が制限されている場合に特に、消費者が所望の数の医薬単位を分配するように限定することを困難にし得る。細かい運動能力が制限されている消費者としては、高齢者または神経学的障害（例えば、パーキンソン病）を患う患者などの患者が挙げられる。その結果、このような患者は、瓶などのパッケージから多すぎる医薬単位を望ましくなく分配し得る。多すぎる医薬単位の望ましくない分配からのこぼれが生じ得、これによって１つ以上の医薬単位が床に落ち、紛失するか、回収可能になるか、または汚染されることもまた懸念される。このことは、おそらく非常に高価である医薬単位の損失を生じ得る。
【０００４】
１回分の単位用量を分配するパッケージ（例えば、ブリスターパック）が利用可能であるが、これらの包装材は依然として、問題を提示する。薬学的単位用量を含むブリスターパックまたはカードは、単位用量を保有する一次パッケージとしてのブリスターパックと一緒に販売される。パーキンソン病などの神経学的障害を患う患者による分配中に、単位用量が床に落ちるか、または他の様式で紛失されるか、回収可能になるか、もしくは汚染されるという問題が、依然として存在する。
【発明の概要】
【発明が解決しようとする課題】
【０００５】
従って、こぼす危険性を最小にしながら、医薬単位用量の一度の分配を制限する、単位用量を含むパッケージを提供することが望ましい。
【課題を解決するための手段】
【０００６】
（発明の要旨）
本発明の種々の実施形態は、１回分の医薬単位用量を分配するためのパッケージを提供する。このパッケージは、エンクロージャを規定する壁構造体；このエンクロージャから単位用量を回収するための、このエンクロージャのアクセス開口部；およびこの単位用量を保持するための少なくとも１つの医薬ホルダであって、この医薬ホルダから取り出された単位用量が、このアクセス開口部を通しての後の回収のために、このエンクロージャ内に落ちて捕捉されるように、この壁構造体に設置されている、少なくとも１つの医薬ホルダを有し得る。
【０００７】
各医薬ホルダは、単位用量を保持するためのブリスターを備え得る。この単位用量を各ブリスター内に保持するための破断可能な裏打ちが、このブリスターの内側表面に提供され得、そしてこの壁構造体に設置された複数のブリスターが存在し得る。この医薬ホルダは、この壁構造体と一体的に形成され得るか、または取り外し可能であって新たな設定用量の医薬を有する交換用医薬ホルダと交換され得る。この医薬ホルダは、単位用量を保持するためのブリスターを備え得、このブリスターは、この壁構造体の変形可能な部分により形成され、そしてさらに、単位用量をブリスター内に保持するための、各ブリスターと関連して壁構造体の内側表面に提供された破断可能な裏打ちを備え得る。この壁構造体は、取り外し可能な閉鎖キャップ、またはこのパッケージに取り付けられたキャップを備え得る。このキャップは、高齢者が使用しやすいキャップ、または小児が取り扱えないキャップであり得る。この壁構造体は、少なくとも１つの入口開口部を備え得、そして少なくとも１つの医薬ホルダは、この少なくとも１つの入口開口部に関連して、この壁構造体に永続的に固定される。この少なくとも１つの医薬ホルダは、単位用量を保持するためのブリスター、およびこの単位用量をこのブリスター内に保持するための、このブリスターの内側表面に提供された破断可能な裏打ちを備え得、このブリスターおよび破断可能な裏打ちは、この単位用量をこのブリスターから１つの入口開口部を通してエンクロージャ内へと通すために、この壁構造体に永続的に固定される。挿入物は、複数のブリスターを有し得、破断可能な裏打ちが、この挿入物の内側表面に提供され、この挿入物は、単位用量をこのブリスターから１つの入口開口部を通してエンクロージャ内へと通すために、壁構造体に永続的に固定される。このブリスターは、１つの入口開口部を通って延び得る。
【０００８】
この壁構造体は、少なくとも１つの入口開口部を備え得、そして少なくとも１つの医薬ホルダは、この壁構造体に取り外し可能に固定される。この壁構造体は、各医薬ホルダが１つの入口開口部を覆う関係で配置されるように、少なくとも１つの医薬ホルダを案内して設置するための、少なくとも１つのガイドをさらに備え得る。この医薬ホルダは、複数のブリスターを有する挿入物を備え得、破断可能な裏打ちが、この挿入物の内側表面に提供され、この挿入物は、単位用量を各ブリスターから１つの入口開口部を通してエンクロージャ内へと通すために、この少なくとも１つのガイドによって、この壁構造体に取り外し可能に設置される。この挿入物は、カード挿入物を備え得、そしてこの少なくとも１つのガイドは、このカード挿入物をスライドにより受容してこのカード挿入物を壁エンクロージャに設置するために、平行な、間隔を空けたＬ字型の壁を、壁構造体の外側表面に備える。使用または投薬情報に関するラベルおよび／または指示書が、このパッケージ内に緩く入れられ得るか、または壁構造体に含まれ得る。
【０００９】
別の実施形態は、二枚貝パッケージを有する壁構造体を有するパッケージを提供し、この二枚貝パッケージは、中心セクション、ならびにこの中心セクションの両側に蝶番式に固定された第一の蝶番式横セクションおよび第二の蝶番式横セクションを有する。この第一の横セクションは、内部に少なくとも１つの医薬ホルダを備える。入口開口部を有する容器が、この第二の横セクションに設置され、その結果、この二枚貝パッケージが閉じている場合、医薬ホルダの各々は、１つの入口開口部を覆う関係で配置される。この容器は、アクセス開口部を備える。この壁構造体は、ブランクにより形成され得る。
【００１０】
この医薬ホルダは、人の指により押され得る変形可能な前壁、およびこの医薬ホルダ内に単位用量を保持するための変形可能な後壁を有し得、この変形可能な後壁は、内向きに曲がったセクションを備え、この内向きに曲がったセクションは、この単位用量をこの医薬ホルダ内にロックし、そしてこの内向きに曲がったセクションは、単位用量をこの変形可能な後壁を通して放出する目的で、この変形可能な前壁の変形の際に外向きに曲がる。
【００１１】
本発明のさらなる実施形態は、本発明の種々のパッケージを神経学的疾患を患う患者に提供することにより、神経学的患者が１回分の医薬単位用量を落とす危険性を減少させる方法を提供する。
【００１２】
種々の実施形態は、少なくとも１つの医薬ホルダおよび１回分の医薬単位用量を分配するためのパッケージを有する、薬学的製品を提供する。このパッケージは、エンクロージャを規定する壁構造体；このエンクロージャから単位用量を回収するための、このエンクロージャのアクセス開口部；およびこの単位用量を保持するための少なくとも１つの医薬ホルダであって、この医薬ホルダから取り出された単位用量が、このアクセス開口部を通しての後の回収のために、このエンクロージャ内に落ちて捕捉されるように、この壁構造体に設置される、少なくとも１つの医薬ホルダを有し得る。
【００１３】
１回分の医薬単位用量は、１つの医薬であっても複数の医薬であってもよく、そして任意の適切な薬学的剤形（例えば、錠剤、カプセル剤、カプレットおよび／またはゲルカプセル（ｇｅｌｃａｐｓ）であるが、これらに限定されない）であり得る。１回分の医薬単位用量は、１つ以上の医薬（例えば、１つ、２つ、３つの医薬）を有し得る。例えば、１回分の医薬単位用量は、１個の錠剤、２個の錠剤または３個の錠剤などであり得る。１回分の医薬単位用量は、少なくとも１つの錠剤、カプセル剤、カプレットまたはゲルカプセル、あるいはこれらの組み合わせを有し得る。この医薬は、同じ剤形であっても異なる剤形であってもよい。
【００１４】
この医薬は、望ましくは、活性薬学的因子（例えば、患者の手を震せんさせ得るかまたは手の性能を他の様式で妨げ得る疾患を患うヒトを処置する際に有用な因子であり、例えば、神経学的疾患（例えば、パーキンソン病、てんかん、関節炎、ツレット病（ｔｕｒｒｅｔ’ｓ  ｄｉｓｅａｓｅ）など）を処置する際に有用な活性物質であるが、これらに限定されない）を含有する。
【００１５】
他の実施形態は、薬学的キットを提供し、この薬学的キットは、１回分の医療単位用量を分配するためのパッケージ、および複数の薬学的剤形を収容する複数の医薬ホルダを備える。このキットは、この医薬内の剤形がなくなった場合にこれらの医薬ホルダがこのパッケージの内外で交換され得るように、一緒に販売され得る。
【００１６】
さらなる実施形態は、１回分の医薬単位用量を分配するためのパッケージを形成するためのブランクを提供し、このブランクは、少なくとも閉じた底部を有するエンクロージャを形成するために一緒に接続された複数の壁パネル、および単位用量を保持するための少なくとも１つのブリスターを有し、このブリスターは、これらの壁パネルが一緒に接続されてこのエンクロージャを形成する場合に、１つのブリスターから取り出された単位用量が後の回収のためにこのエンクロージャ内に落ちて捕捉されるように、このエンクロージャの壁パネルのうちの少なくとも１つに組み込まれる。
【００１７】
このブランクは、単位用量を各ブリスターに保持するために、各ブリスターに対して壁パネルの内側表面に提供された破断可能な裏打ちをさらに有し得る。壁パネルのうちの少なくとも１つに組み込まれた複数のブリスターが存在し得る。これらの壁パネルと少なくとも１つのブリスターとは、同じ材料（例えば、プラスチック材料）から作製され得る。複数の壁パネルは、折り線に沿って一列に一緒に接続された、前壁パネル、後壁パネルおよび２つの横壁パネルを備え得る。複数の壁パネルは、折り線に沿って１つの壁パネルの下端に接続された底フラップ、および１つの壁パネルの上端に接続された頂フラップを備え得る。複数の壁パネルは、少なくとも１つの壁パネルの下端に接続された少なくとも１つの底横フラップ、および少なくとも１つの壁パネルの上端に接続された少なくとも１つの頂横フラップを備え得る。
【００１８】
本発明の種々の実施形態は、１回分の医薬単位用量を分配するためのパッケージを提供する。このパッケージは、エンクロージャ、このエンクロージャから単位用量を回収するためのこのエンクロージャのアクセス開口部、およびこの単位用量を保持するための少なくとも１つの医薬ホルダを備え得、その結果、この医薬ホルダから取り出された単位用量は、このアクセス開口部を通しての後の回収のために、このエンクロージャ内に落ちて捕捉される。
【００１９】
この医薬ホルダは、このパッケージと一体的に形成されたブリスターであり得る。あるいは、この医薬ホルダは、取り外し可能な挿入物であり得る。
【００２０】
本発明の複数の実施形態は、ブリスターパックなどの挿入物がパッケージの壁内に一体化されている、パッケージを提供する。あるいは、この挿入物は、このパッケージに取り外し可能に挿入可能であり得る。医薬の単位用量は、このパッケージのエンクロージャの内部に落下可能であり、これによって、これらの医薬の損失を防止する。種々の実施形態は、１回分の単位用量の、安全な、正確な、そして／または低費用の送達を提供する。適切な送達機構としては、ネック仕上げ部分のねじ式の蓋、ネック仕上げ部分の小児が取り扱えない蓋または高齢者が取り扱いやすい蓋、分配穴、切妻頂部、スライド式ドア、引き裂き式ストリップ、ロック式フラップなどが挙げられる。
【００２１】
パッケージと挿入物またはブリスターとは、同じ材料から作製され得、これによって、適合性の規則との合致を保証し得る。望ましくは、パッケージは、製造が比較的安価であり、そして使用が容易である。
【００２２】
本発明の１つの局面に従って、１回分の医薬単位用量を分配するためのパッケージは、エンクロージャを形成する複数の壁パネル、このエンクロージャから単位用量を回収するためのこのエンクロージャのアクセス開口部、および単位用量を保持するための少なくとも１つの挿入物またはブリスターを備え、この挿入物またはブリスターは、１つのブリスターから取り出された単位用量がこのエンクロージャ内に落ちて捕捉されるように、このパッケージエンクロージャの壁パネルのうちの少なくとも１つに組み込まれ、これによって、この単位用量は、このアクセス開口部を通しての回収の準備ができる。
【００２３】
単位用量を各ブリスター内に保持するために、各ブリスターに対して壁パネルの内側表面に提供された、破断可能な裏打ちもまた存在し得る。このエンクロージャの壁パネルのうちの少なくとも１つに組み込まれた複数のブリスターが存在し得、そしてこのパッケージは、直方体の構成であり得る。さらに、これらの壁パネルと少なくとも１つの挿入物またはブリスターとは、同じ材料から作製され得る。
【００２４】
種々の実施形態において、複数の壁パネルは、直方体の構成で一緒に接続された、前壁パネル、後壁パネルおよび２つの横壁パネルを備え、この直方体の構成は、その下開口部および上端（アクセス開口部を形成する）、この下開口部を閉鎖するための底フラップ、ならびにこのアクセス開口部を取り外し可能に閉鎖する頂フラップを規定する。
【００２５】
本発明の上記特徴および他の特徴は、添付の図面と一緒に読まれるべきである以下の詳細な説明から、容易に明らかになる。
【図面の簡単な説明】
【００２６】
【図１】図１は、本発明による投薬量および流出制御を有する、単位用量を分配するためのパッケージの斜視図である。
【図２】図２は、図１のパッケージを形成するためのブランクの上平面図である。
【図３】図３は、図２の線３−３に沿って見た図２のブランクの断面図である。
【図４】図４は、図２のパッケージの側面立面図である。
【図５】図５は、図１の線５−５に沿って見た図１のパッケージの断面図である。
【図６】図６は、ブリスターを備えるカード挿入物の斜視図である。
【図７】図７は、図６のカード挿入物と一緒に使用するための、別の実施形態によるパッケージを示す、図５と類似の断面図である。
【図８】図８は、本発明の別の実施形態によるパッケージの斜視図である。
【図９】図９は、本発明の別の実施形態によるパッケージの斜視図である。
【図１０】図１０は、本発明の別の実施形態による瓶の斜視図である。
【図１１】図１１は、本発明の別の実施形態による瓶の斜視図である。
【図１２】図１２は、本発明の別の実施形態による瓶の正面立面図である。
【図１３】図１３は、図１２の瓶の上平面図である。
【図１４】図１４は、本発明の別の実施形態による、組み立てられた二枚貝パッケージの斜視図である。
【図１５】図１５は、開いた構成にある、図１４の二枚貝パッケージの側面立面図である。
【図１６】図１６は、組み立てられた状態にある、図１４の二枚貝パッケージの側面立面図である。
【図１７】図１７は、非活性化状態にある改変ブリスター配置の断面図である。
【図１８】図１８は、活性化状態にある改変ブリスター配置の断面図である。
【発明を実施するための形態】
【００２７】
（詳細な説明）
図面を詳細に参照し、最初に図１〜図３を参照すると、投薬量および流出制御を有する単位用量を分配するためのレセプタクル１０が、ブランク１１から形成される。このブランクは、順番に、第一の横壁パネル１２、前壁パネル１４、第二の横壁パネル１６、後壁パネル１８、および固定タブパネル２０を備え、これらの長い辺でそれぞれ一緒に接続されている。
【００２８】
このレセプタクルは、任意の適切な形状（例えば、箱型、円筒形、三角形、円形など）であり得る。出口は、医薬の取り出しを容易にするために、円錐形であり得る。この前壁部パネルは、任意の適切な形状（矩形、正方形、三角形、台形などが挙げられる）であり得る。これらの壁パネルはまた、丸みを帯びた縁部を有し得る。
【００２９】
折り線２２、２４、２６および２８などが、隣接する接続されたパネルの間、すなわち、第一の横壁パネル１２と前壁パネル１４との間、前壁パネル１４と第二の横壁パネル１６との間、第二の横壁パネル１６と後壁パネル１８との間、および後壁パネル１８と固定タブパネル２０との間に提供されて、各パネルがその隣接するパネルに対して垂直に曲げられるように、ブランク１１が折り線２２、２４、２６および２８に沿って折り畳まれることを可能にする。
【００３０】
このレセプタクルは、任意の適切な材料（板紙、厚紙、プラスチック、金属などが挙げられる）から作製され得る。このレセプタクルは、再使用可能であり得る。このような場合、医薬を収容する挿入物が取り出され得、そして別の挿入物と交換され得る。このレセプタクルの壁のうちの１つは、この挿入物の取り外しおよび挿入を可能にするために、移動可能であり得る。底壁、横壁または開口頂部が、適切な掛け金または蝶番機構で取り外し可能に接続され得る。
【００３１】
あるいは、折り線よりむしろ、より薄い直径の線またはＶ字型の切り抜きが、折り線の代わりに提供され得、そして特許請求の範囲における折り線への言及は、全てのこのようなバリエーションを包含することが想定される。この様式で、固定タブパネル２０は、図５に最もよく示されるように、接着剤によって第一の横壁パネル１２に固定されて、エンクロージャを形成する。
【００３２】
底フラップ３０が、折り線３２に沿って後壁パネル１８の短い辺の一方に接続され、そしてその反対側で、折り線３６に沿って接続されたタブ３４を備える。さらに、底横フラップ３８および４０が、第一の横壁パネル１２および第二の横壁パネル１６の短い辺のうちの１つに、それぞれ折り線４２および４４に沿って、ブランク１１の底フラップ３０と同じ側に接続される。
【００３３】
ブランク１１が折り線２２、２４、２６および２８に沿って、各パネルがその隣接するパネルに対して垂直に折り曲げられるように折り畳まれ、そして固定タブパネル２０が接着剤により第一の横壁パネル１２に固定されてエンクロージャを形成すると、底横フラップ３８および４０は、折り線４２および４４に沿って内向きに曲げられ、そして底フラップ３０は、折り線３２に沿って、底横フラップ３８および４０と重なる位置まで折り畳まれ、そしてこれにより、このエンクロージャの下開口部を閉鎖する。タブ３４は、折り線３６に沿って、底フラップ３０に対して垂直になるように折り畳まれ、これによって、前壁パネル１４の内側表面に沿い、これによって、底フラップ３０をこの位置に保持する。
【００３４】
頂フラップ４６は、前壁パネル１４の短い辺の１つに、折り線４８に沿って、ブランク１１の底フラップ３０とは反対側で接続され、そして折り線５２に沿ってその反対側に接続されたタブ５０を備える。さらに、頂横フラップ５４および５６が、第一の横壁パネル１２および第二の横壁パネル１６の対向する短い辺に、それぞれ折り線５８および６０に沿って、ブランク１１の頂フラップ４６と同じ側に接続される。
【００３５】
ブランク１１が折り線２２、２４、２６および２８に沿って、各パネルがその隣接するパネルに対して垂直に折り曲げられるように折り畳まれ、そして固定タブ２０が接着剤により第一の横壁パネル１２に固定されてエンクロージャを形成すると、頂横フラップ５４および５６は、折り線５８および６０に沿って内向きに曲げられ、そして頂フラップ４６は、折り線４８に沿って、頂横フラップ５４および５６と重なる位置まで折り畳まれ、そしてこれにより、このエンクロージャの上開口部を閉鎖する。タブ５０は、折り線５２に沿って、頂フラップ４６に対して垂直になるように折り畳まれ、これによって、後壁パネル１８の内側表面に沿い、これによって、頂フラップ４６をこの位置に保持する。この配置で、パッケージ１０は、直方体の構成を形成する。あるいは、このパッケージは、任意の適切な形状（三角形、円形、矩形、円錐形などが挙げられる）であり得る。
【００３６】
本発明の他の局面に従って、ブランク１１は、複数の挿入物、ブリスターまたは区画６２を、前壁パネル１４に備えて形成され、各々が、この前壁パネルから前方に延び、各々が、１回分の単位用量（例えば、錠剤、カプセル剤、カプレットなど）を保持するためのものであり、そして各々が、前壁パネル１４の開口部６４（図３および図５を参照のこと）と整列する。ブリスター６２は、前壁パネル１４の面から前方に突出する。裏打ち６６は、箔、プラスチック、軟質ポリマー材料などから作製され得、この裏打ちは、穿孔され得、そして前壁パネル１４の後方または内側表面を覆う関係で固定されて、単位用量を個々のブリスター６２内に保持する。ブリスター６２の形成は、前壁パネル１４に限定されず、パッケージ１０の他の壁パネル、または複数の壁パネルに提供され得ることが、理解される。
【００３７】
ブランク１１（ブリスター挿入物６２を備える）は、１枚の材料から作製され得、この材料は、透明であるか、完全に着色されているか、または部分的に着色された、熱形成プラスチック材料であり得る。
【００３８】
使用において、人は単に、ブリスター６２のうちの１つを圧迫して、裏打ち６６を通して単位用量を押し、これによって、単位用量がパッケージ１０のエンクロージャ内に落ちる。次いで、この単位用量は、頂フラップ４６ならびに頂横フラップ５４および５６を単に開くことによって、パッケージ１０から取り出され得る。代替的に、またはさらに、単位用量がそのそれぞれのブリスター６２から取り出された後に、パッケージ１０からの単位用量の分配は、１つ以上の壁パネルまたはフラップと接続された、小児が取り扱えない蓋、フラップ、漏斗または穴によって達成され得、その結果、患者は、こぼす機会が低下した状態で、１回分の用量を受け取る。
【００３９】
１回分の単位用量が箱型パッケージ１０内に分配され得ることが理解される。すなわち、単位用量が落ち、紛失され、そして汚染される危険性が最小にされる。有利なことに、この瓶は、１回分の単位用量を瓶または従来のブリスターパックから取り出そうと試みる、神経学的障害を患う人を補助する。
【００４０】
さらに、ブリスターパックを保持するための外側パッケージまたは箱は、必要とされないかもしれない。なぜなら、ブリスター６２がパッケージ１０内に直接取り付けられるからである。これによって、製造の費用および時間が減少する。この製造手段は、より少ない加工工程、より少ない誤差および改善された品質管理という利点を提供する。ブリスター６２とパッケージ１０とは、同じ材料から作製されるので、これらの製造はより費用が低く、より安全であり、そしてこのことが適合性規則との合致を保証するので、さらなる利点が与えられる。ブリスター６２を備えるパッケージ１０が連続的な１ロールのプラスチックから製造され得るので、より低い費用が達成され得ることが理解される。さらに、この材料は、患者が分配しようとしている用量を観察することができるように、透明にされ得る。
【００４１】
一旦、１回分の用量がチャンバ内に分配されたら、この用量へのアクセス、あるいは患者の手または口へのさらなる分配が、さらに制御され得ることが理解される。
【００４２】
従って、本発明は、包装適合性の問題をなんら追加することなく、手へ、そして口への分配方法の既存のブリスターパックを、レセプタクルへ、そして手へ、そして口へ（またはレセプタクルから口へと直接）のブリスターパックと置き換える。
【００４３】
特許請求の範囲における単位用量への言及は、全ての型の単位用量（カプセル剤、錠剤、コロイド、カプレット、散剤、液体などが挙げられるが、これらに限定されない）を包含することが意図されることが理解される。
【００４４】
本発明の他の実施形態は、パッケージまたはブリスターまたは壁のいずれかへのラベル付けを提供する。このようなラベルは、内部に含まれる薬物の型を確認するのに役立つ。適切なラベルは、内部に含まれる特定の医薬の望ましい投薬計画に従う、週、曜日または１日のうちの表示（例えば、夜間／ＰＭまたは午前中／ＡＭ）を含む。他の実施形態は、別々の剤形または組み合わせられた剤形のいずれかで、少なくとも２つの活性薬学的因子を含有するパッケージを包含する。このパッケージは、このような活性薬学的因子の適切な使用および投薬の指示を有する、別々の剤形のラベルを含み得る。
【００４５】
種々の改変が本発明に対してなされ得ることが、理解される。
【００４６】
例えば、図６および図７に見られるように、ブリスター６２がパッケージの一部として形成されるよりもむしろ、これらのブリスターは、このパッケージと組み立てられる挿入物として形成され得る。具体的には、最初に図７を参照すると、箱型パッケージ１０ａが示されており、この図において、箱型パッケージ１０に対応する要素は、同じ番号であるが文字「ａ」が付随して識別されており、共通の要素の詳細な説明は提供されない。基本的には、箱型パッケージ１０ａは、ブリスター６２がこのパッケージに形成されてないこと以外は、箱型パッケージ１０と同一である。その代わりに、開口部６８ａが、箱型パッケージ１０のブリスター６２の位置に提供される。挿入物カード７０ａが提供され、この挿入物カードには、ブリスターまたは区画６２ａが形成されており、各々のブリスターまたは区画がこの挿入物カードの前方に延び、各々が１回分の単位用量（例えば、錠剤、カプセル剤、カプレットなど）を保持するためのものであり、そして各々が、単位用量の取り出しのために、挿入物カード７０ａの開口部６４ａと整列している。ブリスター６２ａは、挿入物カード７０ａの面から前方に突出する。裏打ち６６ａは、穿孔され得る箔、プラスチック、軟質ポリマー材料などから作製され得、そして挿入物カード７０ａの後表面を覆う関係で固定されて、単位用量を個々のブリスター６２ａ内に保持する。挿入物カード７０ａ（ブリスター６２ａを備える）は、１枚の材料から作製され得、この材料は、透明であるか、完全に着色されているか、または部分的に着色された、熱形成プラスチック材料であり得る。
【００４７】
この配置で、挿入物カード７０ａは、前壁パネル１４ａの後表面に固定され得、その結果、ブリスター６２ａは、前壁パネル１４の開口部６８ａを通って突出する。固定は、任意の適切な手段（接着剤、超音波溶接などが挙げられる）によりなされ得る。挿入物カード７０ａは、パッケージ１０が完全に組み立てられたとき、またはその間の任意の工程中に、平坦にされたブランク１１の前壁パネル１４ａと組み立てられ得る。挿入物カード７０ａは、前壁パネル１４との組み立てに限定されず、パッケージ１０ａの他の壁パネルまたは複数の壁パネルに提供されてもよいこともまた、理解される。
【００４８】
本発明は、直方体の形状のパッケージ１０に関して議論されたが、本発明は、これにより限定されない。例えば、図８に示されるように、パッケージ１０ｂは、円筒形の主本体セクション７２ｂを有し得、ここにブリスター６２ｂが形成され、そして円錐形の穴セクション７４ｂが主本体セクション７２ｂの上端に固定される。蓋フラップ７６ｂが、任意の適切な手段（例えば、一体蝶番８０ｂ）によって、円錐形の穴セクション７４ｂの上開口端部７８ｂに固定される。蓋フラップ７６ｂは、例えば、留め金（図示せず）、摩擦ばめなどによって、開口端部７８ｂを閉鎖するために固定され得る。この目的で、蓋フラップ７６ｂの上表面は、把持ハンドル（図示せず）を有し得る。さらに、ブリスター６２ｂが、図１〜図５のブリスター６２と類似の様式で主本体セクション７２ｂの円筒形の壁に形成され得るか、または図６および図７のブリスター６２ａと類似の様式で挿入物カードに形成され得る。
【００４９】
異なる形状の別の例が、図９に示されている、図９において、パッケージ１０ｃは、底閉鎖フラップ８４ｃにより閉鎖され得る開口下端部、および蓋フラップ８８ｃにより閉鎖され得る開口上端部８６ｃを有する、円錐形の壁８２ｃによって、円錐形状に形成される。底閉鎖フラップ８４ｃおよび蓋フラップ８８ｃは、任意の適切な手段（例えば、一体蝶番）によって、円錐形の壁８２ｃに固定され得る。蓋フラップ８８ｃおよび底閉鎖フラップ８４ｃは、例えば、留め金（図示せず）、摩擦ばめなどによって、上開口端部および下開口端部を閉鎖するように固定され得る。この目的で、蓋フラップ８８ｃの上表面および底閉鎖フラップ８４ｃの下表面の各々は、把持ハンドル（図示せず）を有し得る。
【００５０】
円錐形の壁８２ｃは、図７の配置と同様に複数の開口部６８ｃを有し、そして図６のカード挿入物７０ａと類似であり裏打ちシート（図示せず）を有する複数のブリスター６２ｃを有するカード挿入物７０ｃが、ブリスター６２ｃが開口部６８ｃを通って突出するように、円錐形の壁８２ｃと組み立てられ得る。固定は、任意の適切な手段（接着剤、超音波溶接などが挙げられる）によりなされ得る。挿入物カード７０ｃは、パッケージ１０ｃが完全に組み立てられたとき、またはその間の任意の工程中に、平坦にされたブランクの円錐形の壁８２ｃと組み立てられ得る。
【００５１】
上記実施形態は、ブランクから形成されたパッケージを議論したことが理解される。しかし、パッケージ１０は、従来のプラスチック瓶であり得、この瓶にブリスターが、図１〜図５において議論されたものと同じ様式で形成されるか、または図６および図７において議論されたものと同じ様式で、この瓶の開口部を通る挿入物として形成される。
【００５２】
ここで図１０を参照すると、本発明の別の改変によるパッケージとしての瓶１０ｄは、上端において減少した直径のネック９２ｄを有する円筒形の主本体９０ｄを備え、閉鎖キャップ９４ｄが、従来の様式でネック９２ｄに螺合により受容されている。複数の開口部６８ｄが主本体９０ｄに形成されている。個々のブリスター６２ｄ（各々が、単位用量を有し、そして裏打ち（図示せず）により閉鎖されている）が、主本体９０ｄの外側表面に、開口部６８ｄと整列して覆う関係で永続的に固定される。人がブリスター６２ｄを押すと、単位用量がこの裏打ちを突破し、そしてそれぞれの開口部６８ｄを通って瓶１０ｄに入る。
【００５３】
図１０の実施形態は、単位用量（例えば、カプセル剤または錠剤）に関して議論されたが、この実施形態および他の実施形態は、各ブリスター６２ｄが二次成分（例えば、着色剤、糖など）を保持し得るように使用され得、この二次成分は、ブリスター６２ｄが破壊されると、一次製品ですでに満たされているかまたはブリスター６２ｄの破壊の直前もしくは直後に消費者により満たされている、主本体９０ｄに入る。次いで、瓶１０ｄは、振盪または撹拌されて、これらの成分を混合し得る。この様式で、消費者は、瓶１０ｄの内容物を自分の好みに合わせて変化させ得る。例えば、１つのブリスターは赤色の着色剤を含み得、第二のブリスターは青色の着色剤を含み得、第三のブリスターは糖を含み得る、などである。この様式で、瓶１０ｄ内の一次製品の内容物は、強度、色、甘味などを調節され得る。
【００５４】
開口部は必ずしも、瓶の主本体に形成される必要がないことが理解される。例えば、図１１の瓶１０ｅ（主本体９０ｅ、減少した直径のネック（図示せず）および閉鎖キャップ９４ｅを有する）に示されるように、ブリスター６２ｅは、閉鎖キャップ９４ｅの上表面に、閉鎖キャップ９４ｅの開口部（図示せず）と整列して形成され得る。
【００５５】
あるいは、図１２および図１３に示されるように、瓶１０ｆは、主本体９０ｆ、減少した直径のネック９２ｆ、およびネック９２ｆに螺合された閉鎖キャップ９４ｆを有する。複数の開口部６８ｆが、主本体９０ｆに提供される。さらに、Ｌ字型のガイド９６ｆが、互いに平行な、間隔を空けて面する関係で、開口部６８ｆの両側に沿って延びる。主本体９０ｆの外側表面に固定された底棚９８ｆが、Ｌ字型ガイド９６ｆの下端部を接続し、そして２つの直立タブ１００ｆを有する。カード挿入物７０ａと実質的に同一であるカード挿入物７０ｆは、複数のブリスター６２ｆを有し、そしてその下縁部に２つの凹部１０２ｆを有する。この実施形態では、カード挿入物７０ｆをＬ字型ガイド９６ｆ内に、凹部１０２ｆがタブ１００ｆを受容するまでスライドさせることのみが必要である。タブ１００ｆおよび凹部１０２ｆの理由は、ブリスター６２ｆと開口部６８ｆとの正確な整列を確実にすることである。しかし、タブ１００ｆおよび凹部１０２ｆは、ガイド９６ｆ内のカード挿入物７０ｆの許容差が小さい場合、排除され得ることが理解される。この実施形態の利点は、単一の瓶が複数の異なる医薬に対して使用され得ることである。なぜなら、異なる医薬を含む異なるカード挿入物７０ｆを滑り込ませることのみが必要であるからである。
【００５６】
ここで図１４〜図１６を参照すると、本発明の別の実施形態によるパッケージ１０ｇが示されている。パッケージ１０ｇは、成形された二枚貝型の構成に形成され、３つのセクション（すなわち、中心三角形セクション１０４ｇ、ならびに三角形のセクション１０４ｇの両側に一体蝶番８０ｇなどにより固定された２つの横セクション１０６ｇおよび１０８ｇ）を有する。
【００５７】
一方の横セクション１０６ｇは、Ｖ字型の形成で接続された２つの横壁パネル１１０ｇおよび１１２ｇから形成され、それらの横縁部は、三角形の端部パネル１１４ｇにより閉鎖される。横壁パネル１１０ｇは、複数の開口部６８ｇを備え、そして複数のブリスター６２ｇが、横壁パネル１１０ｇの片側に、開口部６８ｇと整列して形成される。あるいは、図１〜図５の第一の実施形態においてと同様に、ブリスター６２ｇは、横壁パネル１１０ｇと一体的に形成され得る。箔、プラスチック、軟質ポリマー材料などの裏打ち６６ｇ（これは、穿孔され得る）が、横壁パネル１１０ｇの対向する表面を覆う関係で固定されて、単位用量を個々のブリスター６２内に保持する。裏打ち６６ｇは、製造中にロール６７ｇから供給され得、次いで切断され得る。
【００５８】
他方の横セクション１０８ｇは、Ｖ字型の形成で接続された２つの横壁パネル１１６ｇおよび１１８ｇから形成され、それらの横縁部は、三角形の端部パネル１２０ｇにより閉鎖される。横壁パネル１１６ｇは、瓶１２４ｇを受容するための湾曲した壁セクション１２２ｇを備える。この瓶は、主本体９０ｇ、ねじ山９３ｇを有する減少した直径のネック９２ｇ、およびネック９２ｇに螺合により受容された閉鎖キャップ９４ｇを有する。湾曲した壁セクション１２２ｇは、販売情報または異なる図を有し得る。示されないが、湾曲した壁セクション１２２ｇの上端は、ネック９２ｇを受容するための開口部（図示せず）を有し、その結果、ネック９２ｇおよび閉鎖キャップ９４ｇが、湾曲した壁セクション１２２ｇの外側に延びる。この実施形態において、瓶１２４ｇの主本体９０ｇの片側１２６ｇが平坦であり、その結果、パッケージ１０ｇの組み立てられた状態で、形成された開口部６８ｇがブリスター６２ｇと適切に整列し得ることが好ましい。瓶１２４ｇは、組み立てられた状態において、図１５に示される位置から９０°回転させられてブリスター６２ｇと面する関係になること、および瓶１２４ｇは単に、開口部６８ｇを見せるために、この回転した位置で示されていることが、理解される。
【００５９】
従って、この実施形態において、ブリスター６２ｇおよび裏打ち６６ｇが横壁パネル１１０ｇに形成された後に、瓶１２４ｇは、湾曲した壁セクション１２２ｇに挿入される。次いで、横壁パネル１１０ｇおよび１１６ｇが（例えば、スナップばめの様式で解放可能にか、または例えば、接着剤、超音波溶接などにより永続的にかのいずれかで）固定される当接関係になるまで、横壁セクション１０６ｇおよび１０８ｇが、一体蝶番８０ｇの周りで旋回させられる。
【００６０】
使用において、人がブリスター６２ｇを圧迫し、その際に、内部の単位用量が裏打ち６６ｇを突破し、そしてそれぞれの開口部６８ｇを通って瓶１２４ｇ内に落ちる。次いで、キャップ９４ｇが取り外され、そしてこの単位用量が容易に回収され得る。
【００６１】
ブリスター６２〜６２ｇは裏打ち６６〜６６ｇにより閉鎖されるように示されたが、各ブリスターは、他の任意の適切な様式で形成され得ることがさらに理解される。例えば、図１７および図１８に示されるように、ブリスター６２ｈは、変形可能な箔ではない、変形可能な裏打ち６６ｈにより裏打ちされることが示されており、この裏打ちは、ブリスター６２ｈから離れる方向に延びて、ブリスター６２ｈと裏打ち６６ｈとの間の空洞６３ｈのサイズを増加させる。しかし、裏打ち６６ｈは、内向きに曲がったセクション１２８ｈを有し、このセクションは、空洞６３ｈ内に延び、そして空洞６３ｈ内に単位用量１３０ｈを（好ましくは圧力を用いて）保持するロックとして働く。内向きに曲がったセクション１２８ｈの最も内側の壁１３２ｈは、開口部１３４ｈを有する。
【００６２】
最初、内向きに曲がったセクション１２８ｈは、圧力を用いて単位用量１３０ｈを空洞６３ｈ内に保持する。しかし、人の指１３６ｈがブリスター６２ｈを押し付けると、単位用量１３０ｈが、内向きに曲がったセクション１２８を、裏打ち６６ｈの残りの部分と一緒に強制的に外向きに曲げ、そして継続的な圧力は、単位用量１３０ｈを開口部１３４ｈを通して押し出す。
【００６３】
本発明の種々の実施形態が、添付の図面を参照しながら説明されたが、本発明はこれらの正確な実施形態に限定されないこと、ならびに種々の変更および改変が、添付の特許請求の範囲により規定されるような本発明の範囲または趣旨から逸脱することなく当業者によりなされ得ることが、理解される。
【図１】
2011522748.tif 000003
【図２】
2011522748.tif 000004
【図３】
2011522748.tif 000005
【図４】
2011522748.tif 000006
【図５】
2011522748.tif 000007
【図６】
2011522748.tif 000008
【図７】
2011522748.tif 000009
【図８】
2011522748.tif 000010
【図９】
2011522748.tif 000011
【図１０】
2011522748.tif 000012
【図１１】
2011522748.tif 000013
【図１２】
2011522748.tif 000014
【図１３】
2011522748.tif 000015
【図１４】
2011522748.tif 000016
【図１５】
2011522748.tif 000017
【図１６】
2011522748.tif 000018
【図１７】
2011522748.tif 000019
【図１８】
2011522748.tif 000020
【国際調査報告】
2011522748.tif 000021
2011522748.tif 000022
2011522748.tif 000023